(57)【要約】【課題】外観の体裁及び使い勝手を良好にすることができる鏡付き什器及び什器システムを提供する。【解決手段】鏡付き什器２は、床面上に設置され、左右方向に離間して配置された一対の側板３と、一対の側板３間に配置され、鏡面７ｆが前方を向くように配置された鏡７と、上面５ｕに物品が載置可能とされ、一対の側板３間において、鏡７の下方に配置された天板５と、を備え、側板３は、床面から立設された下部側板部３１と、前端部３２ｆが下部側板部３１の前端部３１ｆよりも後方に位置するように、下部側板部３１の上部に設けられた上部側板部３２と、を有し、鏡７は、一対の側板３の上部側板部３２間において、上部側板部３２の前端部３２ｆよりも後方に配置され、天板５は、下部側板部３１の上端部３１ｕよりも下方に配置されていることを特徴とする。【選択図】図１
2019072380.tif 000002
【特許請求の範囲】
【請求項１】
床面上に設置され、左右方向に離間して配置された一対の側板と、
該一対の側板間に配置され、鏡面が前方を向くように配置された鏡と、
上面に物品が載置可能とされ、前記一対の側板間において、前記鏡の下方に配置された天板と、を備え、
前記側板は、前記床面から立設された下部側板部と、前端部が前記下部側板部の前端部よりも後方に位置するように、前記下部側板部の上部に設けられた上部側板部と、を有し、
前記鏡は、前記一対の側板の前記上部側板部間において、前記上部側板部の前端部よりも後方に配置され、
前記天板は、前記下部側板部の上端部よりも下方に配置されていることを特徴とする鏡付き什器。
【請求項２】
前記鏡の下端部は、前記下部側板部の上端部よりも上方に配置されていることを特徴とする請求項１に記載の鏡付き什器。
【請求項３】
前記天板の下方に配置され、上面に物品が載置可能な棚板を備え、
前記天板及び前記棚板は、前記一対の側板の前記下部側板部間に架設されている請求項１または２に記載の鏡付き什器。
【請求項４】
前記天板の前端部は、前記下部側板部の前端部よりも後方に配置されていることを特徴とする請求項１から３のいずれか一項に記載の鏡付き什器。
【請求項５】
箱状のロッカーと、
該ロッカーに隣接して配置された請求項１から４のいずれか一項に記載の鏡付き什器と、を備えることを特徴とする什器システム。
【請求項６】
前記ロッカーは、複数配置されてロッカーユニットを構成し、
前記鏡付き什器は、前記ロッカーユニットに隣接して配置されていることを特徴とする請求項５に記載の什器システム。
【請求項７】
前記鏡付き什器の前記左右方向の長さは、前記ロッカーユニットにおける前記左右方向の長さと同一であることを特徴とする請求項６に記載の什器システム。
【発明の詳細な説明】
【技術分野】
【０００１】
本発明は、鏡付き什器及び什器システムに関するものである。
【背景技術】
【０００２】
従来から、オフィスや公共施設等のレストルームやロッカールーム等において、利用者が身だしなみを整えたり、化粧をしたりするために、鏡が設けられた什器が設置されていることが多くある。このようの什器には、利用者が鏡を見ながら化粧等をする際に、バッグや化粧品を置く天板が設置されているものもある。
【０００３】
また、天板の上方に、利用者が使用する化粧品等の物品を収容可能なキャビネットが設けられ、キャビネットにおける利用者と対向する側に鏡が設けられた什器が提案されている。このような什器では、鏡が壁等の設置面からキャビネットの奥行の長さ分、利用者側に突出して配置されるため、利用者が化粧等をする際に、利用者が鏡に近接して、鏡に映った自分の顔を明確に視認しやすい（下記の特許文献１〜３参照）。
【先行技術文献】
【特許文献】
【０００４】
【特許文献１】特開２０１７−９８０５９号公報
【特許文献２】特開２０１７−５２１号公報
【特許文献３】特許第５８７７３７５号公報
【発明の概要】
【発明が解決しようとする課題】
【０００５】
しかしながら、上記の什器では、什器を側方から見ると、設置面に対して、鏡が設けられたキャビネット及び天板が突出していて、凸凹した外観を呈し、体裁が悪いという問題点がある。また、キャビネットの下端部等の突出した部分に利用者が接触してしまう可能性がある。
【０００６】
本発明は、上記事情に鑑みてなされたものであり、外観の体裁及び使い勝手を良好にすることができる鏡付き什器及び什器システムを提供するものである。
【課題を解決するための手段】
【０００７】
上記目的を達成するために、本発明は以下の手段を採用している。
すなわち、本発明に係る鏡付き什器は、床面上に設置され、左右方向に離間して配置された一対の側板と、該一対の側板間に配置され、鏡面が前方を向くように配置された鏡と、上面に物品が載置可能とされ、前記一対の側板間において、前記鏡の下方に配置された天板と、を備え、前記側板は、前記床面から立設された下部側板部と、前端部が前記下部側板部の前端部よりも後方に位置するように、前記下部側板部の上部に設けられた上部側板部と、を有し、前記鏡は、前記一対の側板の前記上部側板部間において、前記上部側板部の前端部よりも後方に配置され、前記天板は、前記下部側板部の上端部よりも下方に配置されていることを特徴とする。
【０００８】
このように構成された鏡付き什器では、鏡は、側板の上部側板部の前端部よりも後方に配置されている。よって、側面視で鏡の左右方向の両端部が上部側板部と重なって配置されているため、利用者が鏡の左右方向の両端部に接触することが抑制され、安全性を確保することができる。
また、側板の上部側板部は、前端部が下部側板部の前端部よりも後方に位置するように、下部側板部の上部に設けられている。鏡は、一対の側板の上部側板部間に配置されている。よって、鏡の左右両側には、前方への突出する長さが抑えられた上部側板部が配置されているため、側板の鏡面への映り込みが抑えられている。したがって、利用者自身等の鏡面への映し出す領域が広く確保され、視認性が良く、使い勝手が良い。また、上部側板部は前方への突出する長さが抑えられているため、鏡面の前方の利用者に当たる照明が側板で遮られることが抑制され、採光性が良く、使い勝手が良い。
また、天板は、下部側板部の上端部よりも下方に配置されている。よって、天板上に載置した物品が天板の左右方向の両端部から転がりそうになっても、物品が下部側板部の上部に接触するため、物品の落下が抑制され、使い勝手が良い。
【０００９】
また、本発明に係る鏡付き什器では、前記鏡の下端部は、前記下部側板部の上端部よりも上方に配置されていることが好ましい。
【００１０】
このように構成された鏡付き什器では、鏡の下端部は下部側板部の上端部よりも上方に配置されているため、側板の鏡面への映り込みが抑えられている。よって、利用者自身等の鏡面への映し出す領域が広く確保され、視認性が良く、使い勝手が良い。
【００１１】
また、本発明に係る鏡付き什器は、前記天板の下方に配置され、上面に物品が載置可能な棚板を備え、前記天板及び前記棚板は、前記一対の側板の前記下部側板部間に架設されていてもよい。
【００１２】
このように構成された鏡付き什器では、天板及び天板の下方に配置された棚板は、一対の側板の下部側板部間に架設されている。よって、一対の側板どうしは天板及び棚板により、上下２箇所で連結されているため、什器としての剛性が高められる。
【００１３】
また、本発明に係る鏡付き什器では、前記天板の前端部は、前記下部側板部の前端部よりも後方に配置されていてもよい。
【００１４】
このように構成された鏡付き什器では、天板の前端部は、下部側板部の前端部よりも後方に配置されている。よって、側面視で、天板の左右方向の両端部が側板と重なって配置されているため、利用者が天板の左右方向の両端部に接触することが抑制され、安全性を一層確保することができる。
【００１５】
また、本発明に係る什器システムは、箱状のロッカーと、該ロッカーに隣接して配置された上記のいずれか一に記載の鏡付き什器と、を備えることを特徴とする。
【００１６】
このように構成された什器システムでは、利用者は、ロッカーに収納した物品を取り出して、鏡を見ながら当該物品を使用して身だしなみを整えたりすることができる。また、鏡付き什器は、ロッカーに隣接して配置されているため、ロッカーと鏡（鏡付き什器）とを行き来する動線が短く、利便性が高い。
【００１７】
また、本発明に係る什器システムでは、前記ロッカーは、複数配置されてロッカーユニットを構成し、前記鏡付き什器は、前記ロッカーユニットに隣接して配置されていることが好ましい。
【００１８】
このように構成された什器システムでは、ロッカーが複数配置されているため、利用者は複数のロッカーに個別に物品を収納することができる。
【００１９】
また、本発明に係る什器システムでは、前記鏡付き什器の前記左右方向の長さは、前記ロッカーユニットにおける前記左右方向の長さと同一であってもよい。
【００２０】
このように構成された什器システムでは、鏡付き什器の左右方向の長さは、ロッカーユニットにおける左右方向の長さと同一である。よって、鏡付き什器側から見ると、ロッカーユニットが鏡付き什器に重なって、ロッカーユニットを視認できない。ロッカーユニット側から見ると、鏡付き什器がロッカーユニットに重なって、鏡付き什器を視認できない。したがって、凸凹せず、体裁の良い外観を呈することができる。
【発明の効果】
【００２１】
本発明に係る鏡付き什器及び什器システムによれば、外観の体裁及び使い勝手を良好にすることができる。
【図面の簡単な説明】
【００２２】
【図１】本発明の一実施形態に係る鏡付き什器を備えた什器システムの斜視図である。
【図２】本発明の一実施形態に係る鏡付き什器の側面図である。
【図３】本発明の一実施形態の変形例に係る鏡付き什器の斜視図である。
【発明を実施するための形態】
【００２３】
以下、本発明の一実施形態に係る什器システムについて、図面を参照して説明する。
図１は、本発明の一実施形態に係る鏡付き什器を備えた什器システムの斜視図である。
図１に示すように、什器システム１００は、ロッカー１が複数隣接配置された構成されたロッカーユニット１Ａと、ロッカーユニット１Ａに隣接配置された鏡台（鏡付き什器）２と、を備えている。
什器システム１００は、例えば、ロッカールームに設置されている。各ロッカー１を複数の利用者の一人一人が個別に利用し、鏡台２を複数の利用者で共有するような使用形態で、什器システム１００を利用することができる。
【００２４】
各ロッカー１は、箱状をなしている。ロッカー１は、一方向に開口を有したロッカー本体１１と、開口を開閉可能にロッカー本体１１に設けられた扉１２と、を有する。ロッカー１は、床面に沿う第一方向Ｄ１に沿って複数配列されることで、ロッカー列Ｅ１を構成している。ロッカー列Ｅ１において、第一方向Ｄ１で隣り合うロッカー１どうしは、第一方向Ｄ１で互いに対向する対向面どうしが近接又は当接した状態で配列されている。
【００２５】
上述したロッカー列Ｅ１が、床面に沿い第一方向Ｄ１と直交する第二方向Ｄ２に二列並んで、ロッカーユニット１Ａが構成されている。各ロッカー列Ｅ１は、各ロッカー１の背面どうしを近接又は当接した状態で配列されている。一のロッカー列Ｅ１を構成するロッカー１は、第二方向Ｄ２において他のロッカー列Ｅ１とは反対側を向く方向に扉１２を向けて配置されている。
【００２６】
鏡台２は、一対の側板３と、後面板４と、天板５と、棚板６と、鏡７と、を有している。
以下の説明において、利用者が鏡台２と対向する方向を前後方向とし、水平方向のうち前後方向と直交する方向を左右方向とする。前後方向のうち、鏡台２に対して利用者側を前側とし、反対側を後側とする。左右方向のうち後側から前側を見た状態の左側及び右側をそれぞれ左右方向の左側及び右側とする。
【００２７】
一対の側板３は、左右方向に離間して、互いに平行配置されている。各側板３は、平板状に形成され、床面上に立設されている。側板３は、板厚方向を左右方向に向けて配置されている。
【００２８】
側板３は、上下方向に長く、前後方向に短い略長方形から、上端部且つ前端部側において上下方向に長く前後方向に短い略長方形が切り欠かれた形状をなしている。換言すると、側板３は、床面上に立設された下部側板部３１と、下部側板部３１に連続して上方に延びる上部側板部３２と、を有している。下部側板部３１及び上部側板部３２は、一体として形成されている。
【００２９】
下部側板部３１は、上下方向に長く、前後方向に短い略長方形をなしている。上部側板部３２は、下部側板部３１の上端部３１ｕ且つ後端部３１ｂから上方に延びている。上部側板部３２は、上下方向に長く、前後方向に短い略長方形をなしている。
【００３０】
上部側板部３２の前後方向の長さは、下部側板部３１の前後方向の長さよりも短い。上部側板部３２の前端部３２ｆは、下部側板部３１の前端部３１ｆよりも後方に配置されている。上部側板部３２の後端部３２ｂは、下部側板部３１の後端部３１ｂと面一に配置されている。
【００３１】
図２は、鏡台２の側面図である。
図２に示すように、一対の側板３の後端部３ｂどうしは、後面板４で連結されている。後面板４は、板厚方向を前後方向に向けて配置されている。後面板４は、上下に分割されたものが上下に複数枚配置されて構成されていてもよいし、鏡台２の上下方向にわたって１枚で構成されていてもよい。
【００３２】
図１に示すように、天板５は、平板状に形成されている。天板５は、板厚方向を上下方向に向けて配置されている。天板５の上面５ｕは、物品が載置可能とされている。
【００３３】
天板５は、一対の側板３の上下方向の中間どうしを連結するように、一対の側板３の間に架設されている。天板５は、一対の側板３の下部側板部３１の上端部３１ｕよりも下方の部分どうしを連結している。天板５は、下部側板部３１の上端部３１ｕよりも下方に配置されている。換言すると、下部側板部３１の上部３１ｗは、天板５よりも上方に突出している。
【００３４】
天板５の前端部５ｆは、下部側板部３１の前端部３１ｆよりもわずかに後方に配置されている。天板５の後端部５ｂは、後面板４に当接配置されている。
【００３５】
棚板６は、平板状に形成されている。棚板６は、板厚方向を上下方向に向けて配置されている。棚板６は、天板５の下方に配置されている。棚板６の上面６ｕは、物品が載置可能とされている。
【００３６】
棚板６は、一対の側板３どうしを天板５よりも下方の位置で連結するように、一対の側板３の間に架設されている。棚板６は、一対の側板３の下部側板部３１どうしを、天板５よりも下方の位置で連結している。
【００３７】
棚板６の前端部６ｆは、下部側板部３１の前端部３１ｆよりも後方に配置されている。棚板６の前端部６ｆは、天板５の前端部５ｆよりも後方に配置されている。棚板６の後端部６ｂ（図２参照）は、後面板４に当接配置されている。
【００３８】
棚板６の下方には、棚板６、一対の側板３の下部側板部３１及び後面板４で囲まれた下部空間部Ｓ１が形成されている。下部空間部Ｓ１には、ゴミ箱や椅子等の物品を置いたり、利用者が下肢を入れたりすることができる。
【００３９】
鏡７は、鏡面７ｆが前方を向くように、一対の側板３間に配置されている。鏡７は、一対の側板３の上部側板部３２間に配置されている。本実施形態では、鏡７は側板３間の左右方向の全長にわたって配置されている。鏡７の左右方向の両端部７ａは、上部側板部３２に当接配置されている。鏡７は、側板３の上部側板部３２の前端部３２ｆよりも後方に配置されている。図２に示すように、鏡７は、後面板４の前面に設けられている。鏡７の下端部７ｄは、側板３の下部側板部３１の上端部３１ｕよりも上方に配置されている。
【００４０】
上記の鏡台２は、ロッカーユニット１Ａのロッカー列Ｅ１における第一方向Ｄ１の一方の端部に隣接して配置されている。鏡台２は、後面板４を、各ロッカー列Ｅ１における第一方向Ｄ１の一方を向く面に近接又は当接させて配置されている。これにより、鏡台２は、その前後方向を第一方向Ｄ１に一致させ、左右方向を第二方向Ｄ２に一致させて配置されている。
【００４１】
ここで、鏡台２の左右方向の幅寸法Ｌ１は、ロッカーユニット１Ａの第二方向Ｄ２の長さ寸法Ｌ２と同一である。詳細には、一方の側板３及び一方のロッカー列Ｅ１における第二方向Ｄ２の一方を向く面どうしと、他方の側板３及び他方のロッカー列Ｅ１における第二方向Ｄ２の他方を向く面どうしと、が面一に配置される。
【００４２】
このように構成された什器システム１００では、鏡７は、側板３の上部側板部３２の前端部３２ｆよりも後方に配置されている。よって、鏡７の左右方向の両端部７ａが上部側板部３２で塞がれているため、利用者が鏡７の左右方向の両端部７ａに接触することが抑制され、安全性を確保することができる。
【００４３】
また、側板３の上部側板部３２は、前端部３２ｆが下部側板部３１の前端部３１ｆよりも後方に位置するように、下部側板部３１の上部に設けられている。鏡７は、一対の側板３の上部側板部３２間に配置されている。よって、鏡７の左右両側には、前方への突出する長さが（下部側板部３１よりも）抑えられた上部側板部３２が配置されているため、側板３の鏡面７ｆへの映り込みが抑えられている。したがって、利用者自身等の鏡面７ｆへの映し出す領域が広く確保され、視認性が良く、使い勝手が良い。
【００４４】
また、上部側板部３２は前方への突出する長さが抑えられているため、鏡面７ｆの前方の利用者に当たる照明が側板３で遮られることが抑制され、採光性が良く、使い勝手が良い。
【００４５】
また、天板５は、下部側板部３１の上端部３１ｕよりも下方に配置されている。よって、天板５上に載置した物品が天板５の左右方向の両端部から転がりそうになっても、物品が下部側板部３１の上部３１ｗに接触するため、物品の落下が抑制され、使い勝手が良い。また、下部側板部３１の上部３１ｗが天板５よりも上方に延びているため、利用者が下部側板部３１の上部３１ｗに手をかけることができ、利便性が高い。
【００４６】
また、鏡７の下端部７ｄは下部側板部３１の上端部３１ｕよりも上方に配置されているため、側板３の鏡面７ｆへの映り込みが抑えられている。よって、利用者自身等の鏡面７ｆへの映し出す領域が広く確保され、視認性が良く、使い勝手が良い。
【００４７】
また、天板５及び棚板６は、一対の側板３の下部側板部３１間に架設されている。よって、一対の側板３どうしは天板５及び棚板６により、上下２箇所で連結されているため、什器としての剛性が高められる。
【００４８】
また、天板５の前端部５ｆは、下部側板部３１の前端部３１ｆよりも後方に配置されている。よって、天板５の左右方向の両端部が側板３で塞がれているため、利用者が天板５の左右方向の両端部に接触することが抑制され、安全性を一層確保することができる。
【００４９】
また、利用者は、ロッカー１に収納した物品を取り出して、鏡７を見ながら当該物品を使用して身だしなみを整えたりすることができる。また、鏡台２は、ロッカー１に隣接して配置されているため、ロッカー１と鏡７（鏡台２）とを行き来する動線が短く、利便性が高い。
【００５０】
また、ロッカー１が複数配置されているため、利用者は複数のロッカー１に個別に物品を収納することができる。
【００５１】
また、鏡台２の左右方向の長さは、ロッカーユニット１Ａにおける左右方向の長さと同一である。よって、鏡台２側（前方）から見ると、ロッカーユニット１Ａが鏡台２に重なって、ロッカーユニット１Ａを視認できない。ロッカーユニット１Ａ側（後方）から見ると、鏡台２がロッカーユニット１Ａに重なって、鏡台２を視認できない。したがって、左右方向に突出したり凹んだり凸凹せず、体裁の良い外観を呈することができる。
【００５２】
（変形例）
上記に示す実施形態の変形例について、主に図３を用いて説明する。
以下の変形例において、前述した実施形態で用いた部材と同一の部材には同一の符号を付して、その説明を省略する。
上記に示す実施形態では鏡台２はロッカー１に隣接して設置されているが、本変形例では鏡台２Ｘは例えば後部（後面板側）が壁（不図示）に沿って設置されている。
鏡台２Ｘは、例えば、レストルームに設置されている。鏡台２Ｘを複数の利用者で共有するような使用形態で、鏡台２Ｘを利用することができる。
本変形例の鏡台２Ｘは、鏡台２よりも幅広（左右方向の長さが長い）に形成されているが、長さ違い等の同様の構成部材には同一の符号を付すものとする。
【００５３】
鏡台２Ｘは、一対の側板３と、後面板（不図示）と、化粧板８１と、幕板８２と、巾木８３と、天板５と、棚板６と、鏡７と、を有している。
【００５４】
後面板は、鏡７の後方に配置されている。後面板の下部には、表面に化粧仕上げが設けられた化粧板８１が設けられている。化粧板８１の表面には、複数の電源コンセント８１ａが設けられている。
【００５５】
一対の側板３の下部において、後端部３ｂ間には、幕板８２が設けられている。幕板８２の下部には、巾木８３が設けられている。
【００５６】
天板５の左右方向の略中央と、棚板６の左右方向の略中央とは、中間板５１で連結されている。中間板５１は、平板状に形成され、板厚方向を左右方向に向けて配置されている。
【００５７】
このように構成された鏡台２Ｘでは、鏡７は、側板３の上部側板部３２の前端部３２ｆよりも後方に配置されている。よって、鏡７の左右方向の両端部７ａが上部側板部３２で塞がれているため、利用者が鏡７の左右方向の両端部７ａに接触することが抑制され、安全性を確保することができる。
【００５８】
また、側板３の上部側板部３２は、下部側板部３１の上端部３１ｕ且つ後端部３１ｂから上方に延びるように形成されている。鏡７は、一対の側板３の上部側板部３２間に配置されている。よって、鏡７の左右両側には、前方への突出する長さが（下部側板部３１よりも）抑えられた上部側板部３２が配置されているため、側板３の鏡面７ｆへの映り込みが抑えられている。したがって、利用者自身等の鏡面７ｆへの映し出す領域が広く確保され、視認性が良く、使い勝手が良い。
【００５９】
また、上部側板部３２は前方への突出する長さが抑えられているため、鏡面７ｆの前方の利用者に当たる照明が側板３で遮られることが抑制され、採光性が良く、使い勝手が良い。
【００６０】
また、天板５は、下部側板部３１の上端部３１ｕよりも下方に配置されている。よって、天板５上に載置した物品が天板５の左右方向の両端部から転がりそうになっても、物品が下部側板部３１の上部３１ｗに接触するため、物品の落下が抑制され、使い勝手が良い。また、下部側板部３１の上部３１ｗが天板５よりも上方に延びているため、利用者が下部側板部３１の上部３１ｗに手をかけることができ、利便性が高い。
【００６１】
また、利用者は、化粧板に設けられた電源コンセント８１ａに、ドライヤー等の電気機器のケーブルの電源プラグ（不図示）を差し込み、鏡７を見ながら髪型と整えることができ、使い勝手が良い。
【００６２】
また、上述した実施の形態において示した各構成部材の諸形状や組み合わせ等は一例であって、本発明の主旨から逸脱しない範囲において設計要求等に基づき種々変更可能である。
【００６３】
例えば、上記に示す実施形態では、天板５が一対の側板３間に架設されているが、本発明はこれに限られない。天板５は一対の側板３間において側板３の下部側板部３１の上端部３１ｕよりも下方に配置されていればよく、例えば、天板が後面板に固定されて、天板が側板の内面（対向する側板側を向く面）と隙間を有して配置されていてもよい。
【００６４】
また、上記に示す実施形態では、棚板６が一対の側板３間に架設されているが、本発明はこれに限られない。棚板は設けられていなくてもよい。あるいは、棚板が後面板に固定されて、棚板が側板の内面（対向する側板側を向く面）と隙間を有して設けられていてもよい。
【００６５】
また、上記に示す実施形態では、鏡７の下端部７ｄが下部側板部３１の上端部３１ｕよりも上方に配置されているが、本発明はこれに限られない。鏡の下端部が下部側板部の上端部よりも下方にまで延びるように配置されていてもよい。この場合には、鏡に利用者の身体の下側（下肢側）まで上下方向に広く映し出すことができる。
【００６６】
また、上記に示す実施形態では、天板５の前端部５ｆ及び棚板６の前端部６ｆが下部側板部３１の前端部３１ｆよりも後方に配置されているが、本発明はこれに限られない。天板の前端部及び棚板の前端部が下部側板部の前端部と面一または、下部側板部の前端部よりも前方に配置されていてもよい。この場合には、天板及び棚板の奥行方向（前後方向）の長さを大きく確保できるため、より多くの物品を天板及び棚板に載置できる。
【符号の説明】
【００６７】
１…ロッカー
１Ａ…ロッカーユニット
１１…ロッカー本体
１２…扉
２，２Ｘ…鏡台（鏡付き什器）
３…側板
３１…下部側板部
３２…上部側板部
４…後面板
５…天板
６…棚板
７…鏡
７ｆ…鏡面
１００…什器システム
【図１】
2019072380.tif 000003
【図２】
2019072380.tif 000004
【図３】
2019072380.tif 000005